Podtech/llm-jp-corpus-v4-ja_patent huggingface dataset:
【手続補正書】
【提出日】平成16年5月7日(2004.5.7)
【手続補正１】
【補正対象書類名】明細書
【補正対象項目名】００１１
【補正方法】変更
【補正の内容】
【００１１】
例えば、実線Ｌ１は、図２に示されたサブフィールドＳＦ１の期間、画素１１０にデー
タ信号の電圧を保持させるべく、各走査線を選択するタイミングを指し示し、また、実線Ｌ４は、図２に示されたサブフィールドＳＦ４の期間、画素１１０にデータ信号の電圧を保持させるべく、各走査線を選択するタイミングを指し示し、さらに、実線Ｌ７は、図２に示されたサブフィールドＳＦ７の期間、画素１１０にデータ信号の電圧を保持させるべく、各走査線を選択するタイミングを指し示す。
【手続補正２】
【補正対象書類名】明細書
【補正対象項目名】００１２
【補正方法】変更
【補正の内容】
【００１２】
他方、各時刻で、互いに前記サブフィールドＳＦ１〜ＳＦ７の重み付けの比、即ち長さの比の関係と同様な関係にある走査線を一の行を基準にして選択する。例えば、時刻ｔ１のときには、走査線１を基準として前記サブフィールドの重み付けの比の関係を有する走査線２２６、２１１、１９６、１８１、１２１及び６１を選択する。例えば、走査線１及び走査線２２６間の関係は、サブフィールドＳＦ１の重み付け「１」に相当する「１５」本分の走査線だけ離れた関係であり、また、走査線１２１と走査線１８１との関係は、サブフィールドＳＦ５の重み付け「４」に相当する「６０」本分の走査線だけ離れた関係である。また、例えば、時刻ｔ２のときには、前記走査線１に隣接する走査線２を基準として、前記サブフィールドの重み付けの比の関係を有する走査線２２７、２１２、１９７、１８２、１２２、及び６２を選択する。
【手続補正３】
【補正対象書類名】明細書
【補正対象項目名】００１３
【補正方法】変更
【補正の内容】
【００１３】
図４は、走査線を選択するタイミングを示す。図３に示した時刻ｔ１は、実際には、図４に示すように、所定の時間幅を有する。例えば、図３に示される時刻ｔ１では、図４に示されるように、サブフィールドＳＦ１の期間で選択すべき走査線を指し示す実線Ｌ１により特定される走査線１、及びサブフィールドＳＦ２の期間で選択すべき走査線を指し示す実線Ｌ２により特定される走査線２２６を始めとして、走査線２１１、１９６、１８１、１２１及び６１をこの順に選択する。また、図３に示される、時刻ｔ１に引き続く時刻ｔ２では、図４に示されるように、同様にして、前記実線Ｌ１により特定される走査線２、及び前記実線Ｌ２により特定される走査線２２７を始めとして、走査線２２７、２１２、１９７、１８２、１２２及び６２をこの順に選択する。
【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】
マトリクス状に配置された複数の画素と、
前記複数の画素に信号を入力する複数の信号線と、
前記複数の信号線に信号を入力する第１の信号線駆動回路と第２の信号線駆動回路と、
前記第１の信号線駆動回路と前記複数の信号線との接続を選択する手段と、前記第２の信号線駆動回路と前記複数の信号線との接続を選択する手段とを有し、
前記第１の信号線駆動回路は、前記複数の信号線にｎ（ｎは自然数）ビットのデジタルビデオ信号に対応する映像信号を出力し、
前記第２の信号線駆動回路は、前記複数の信号線にｍ（ｍはｎより小さい自然数）ビットのデジタルビデオ信号に対応する映像信号を出力することを特徴とする表示装置。
【請求項２】
請求項１において、
ビデオ信号が入力される信号制御回路を有し、
前記信号制御回路は、
前記ビデオ信号のｎビット分の信号を保持し、前記保持されたｎビット分の信号を順に読み出し、前記ｎビットのデジタルビデオ信号として出力する手段と、
前記ビデオ信号のｍビット分の信号を保持し、前記保持されたｍビット分の信号を順に読み出し、前記ｍビットのデジタルビデオ信号として出力する手段と、
前記第１の信号線駆動回路への前記ｎビットのデジタルビデオ信号の出力と、前記第２の信号線駆動回路への前記ｍビットのデジタルビデオ信号の出力とを選択する手段とを有することを特徴とする表示装置。
【請求項３】
マトリクス状に配置された複数の画素と、
前記複数の画素に信号を入力する複数の信号線と、
前記複数の信号線に信号を入力する第１の信号線駆動回路と第２の信号線駆動回路と、
前記第１の信号線駆動回路と前記複数の信号線との接続を選択する手段と、前記第２の信号線駆動回路と前記複数の信号線との接続を選択する手段とを有し、
前記第１の信号線駆動回路は、前記複数の画素の１行分のｎ（ｎは自然数）ビットのデジタルビデオ信号を保持し、
前記第２の信号線駆動回路は、前記複数の画素の１行分のｍ（ｍはｎより小さい自然数）ビットのデジタルビデオ信号を保持することを特徴とする表示装置。
【請求項４】
請求項３において、
ビデオ信号が入力される信号制御回路を有し、
前記信号制御回路は、
前記ビデオ信号のｎビット分の信号を保持し、前記保持されたｎビット分の信号を順に読み出し、前記ｎビットのデジタルビデオ信号として出力する手段と、
前記ビデオ信号のｍビット分の信号を保持し、前記保持されたｍビット分の信号を順に読み出し、前記ｍビットのデジタルビデオ信号として出力する手段と、
前記第１の信号線駆動回路への前記ｎビットのデジタルビデオ信号の出力と、前記第２の信号線駆動回路への前記ｍビットのデジタルビデオ信号の出力とを選択する手段とを有することを特徴とする表示装置。
【請求項５】
請求項１乃至請求項４のいずれか一項において、
前記第２の信号線駆動回路の駆動周波数は、前記第１の信号線駆動回路の駆動周波数より低いことを特徴とする表示装置。
【請求項６】
請求項１乃至請求項５のいずれか一項において、
前記複数の画素に信号を入力する複数の走査線と、
前記複数の走査線に信号を入力する走査線駆動回路とを有し、
前記走査線駆動回路は、前記複数の走査線を任意の順に走査することを特徴とする表示装置。
【請求項７】
請求項１乃至請求項５のいずれか一項において、
前記複数の画素に信号を入力する複数の走査線と、
前記複数の走査線に信号を入力する走査線駆動回路とを有し、
前記走査線駆動回路は、デコーダを有することを特徴とする表示装置。
【請求項８】
請求項１乃至請求項７のいずれか一項において、
前記複数の画素は、エリアカラー方式で配置されていることを特徴とする表示装置。
【請求項９】
請求項１乃至請求項８のいずれか一項において、
前記複数の画素は、発光素子を有することを特徴とする表示装置。
【請求項１０】
請求項１乃至請求項８のいずれか一項において、
前記複数の画素は、電子源素子を有することを特徴とする表示装置。
【請求項１１】
請求項１乃至請求項１０のいずれか一項において、
前記表示装置を用いることを特徴とする電子機器。
【請求項１２】
請求項１乃至請求項１０のいずれか一項において、
前記表示装置を用いることを特徴とする携帯情報端末、パーソナルコンピュータ、画像再生装置、テレビ、ヘッドマウントディスプレイまたはカメラ。
【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
少なくとも１つのコンピュータ・プログラムを動的に変換し、キャッシングする装置であって、
ａ．  コンピュータで読み取り可能な１つ又は複数の記憶媒体と、
ｂ．  コンピュータで読み取り可能な１つ又は複数の記憶媒体に記憶されたコンピュータが実行できる命令であって、
ｉ．    コード・フラグメントを動的に変換する命令と、
ｉｉ．  前記コード・フラグメントをキャッシングする命令と、
ｉｉｉ．前記コード・フラグメントが少なくとも１つのコンピュータ・プロセッサで実行されるようにする命令と、
ｉｖ．  前記少なくとも１つのコンピュータ・プログラムが、前記コード・フラグメントを動的に変換する前記命令と前記コード・フラグメントをキャッシングする前記命令をアクティブにできるようにするアプリケーション・プログラミング・インターフェイスを提供する命令を含む命令を備える装置。
【請求項２】
アプリケーション・プログラミング・インターフェイスを提供する前記命令によって、少なくとも１つのコンピュータ・プログラムがコード・フラグメントを動的に変換する前記命令と前記コード・フラグメントをキャッシングする前記命令の前記コード・フラグメントを提供できるようにする請求項１に記載の装置。
【請求項３】
アプリケーション・プログラミング・インターフェイスを提供する前記命令に、指定されたコード・フラグメントをキャッシング及び実行する機能の提供が含まれる請求項１に記載の装置。
【請求項４】
前記少なくとも１つのコンピュータ・プログラムが複数のエミュレータを備える請求項１に記載の装置。
【請求項５】
前記複数のエミュレータに少なくとも２つの異なるコンピュータ・アーキテクチャ用のエミュレータが含まれる請求項４に記載の装置。
【請求項６】
前記コンピュータで実行可能な命令が前記コード・フラグメントを動的に変換する前記命令と前記コード・フラグメントをキャッシングする前記命令に対して、前記少なくとも１つのコンピュータ・プログラムから前記コード・フラグメントを透過的に取得する命令をさらに含む請求項１に記載の装置。
【請求項７】
少なくとも１つのコンピュータ・プログラムを動的に変換し、キャッシングする装置であって、
ａ．  コンピュータで読み取り可能な１つ又は複数の記憶媒体と、
ｂ．  コンピュータで読み取り可能な１つ又は複数の記憶媒体に記憶されたコンピュータが実行できる命令であって、
ｉ．    コード・フラグメントを動的に変換する命令と、
ｉｉ．  前記コード・フラグメントを動的に最適化する命令と、
ｉｉｉ．前記コード・フラグメントをキャッシングする命令と、
ｉｖ．  前記コード・フラグメント内のハードウェア制御コードを変更する命令と、
ｖ．    前記少なくとも１つのコンピュータ・プログラムから前記コード・フラグメントを透過的に取得する命令と、
ｖｉ．  前記少なくとも１つのコンピュータ・プログラムが、前記コード・フラグメントを動的に変換し、キャッシングする前記命令をアクティブにできるようにするアプリケーション・プログラミング・インターフェイスを提供する命令と、
ｖｉｉ．前記コード・フラグメントが少なくとも１つのコンピュータ・プロセッサで実行されるようにする命令を含む命令を備える装置。
【請求項８】
複数のソフトウェア・アプリケーションを実行する装置であって、
ａ．  コンピュータで読み取り可能な１つ又は複数の記憶媒体と、
ｂ．  コンピュータで読み取り可能な１つ又は複数の記憶媒体に記憶されたコンピュータが実行できる命令であって、
ｉ．    前記複数のソフトウェア・アプリケーションからコンピュータ・プログラム・コードの一部を取得する命令と、
ｉｉ．  前記コンピュータ・プログラム・コードの一部を動的に変換し、キャッシングして変換されたコード・フラグメントを作成する命令と、
ｉｉｉ．前記変換されたコード・フラグメントを実行する命令を含む命令を備える装置。
【請求項９】
前記複数のソフトウェア・アプリケーションにエミュレータが含まれる請求項８に記載の装置。
【請求項１０】
前記複数のソフトウェア・アプリケーションが少なくとも２つの異なる命令セット・アーキテクチャでコンピュータ・システムをエミュレートする請求項９に記載の装置。
【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】  デジタルデバイスのパワーオン処理中にデジタルデバイスおよびデバイスのコンテントのセキュリティを確保する方法は、
メーカ識別子を、前記デジタルデバイスの外部からアクセス不可能な前記デジタルデバイスの第１リードオンリーメモリロケーションにストアし、
前記デジタルデバイスに一義的なデバイス識別子を、前記デジタルデバイスの外部からアクセス不可能な前記デジタルデバイスの第２リードオンリーメモリロケーションにストアし、
前記デジタルデバイスのパワーアップ毎に、
Ａ．前記メーカ識別子を前記第１リードオンリーメモリロケーションから読み出し、
Ｂ．前記デバイス識別子を前記第２リードオンリーメモリロケーションから読み出し、
Ｃ．前記メーカ識別子と前記デバイス識別子を用いて第１の暗号／暗号解読鍵を求め、
Ｄ．暗号化された第２の暗号／暗号解読鍵をメモリから読み出し、
Ｅ．前記第２の暗号／暗号解読鍵を前記第１の暗号／暗号解読鍵を用いて解読し、
Ｆ．暗号化されたプログラムファイルをメモリから読み出し、
Ｇ．前記暗号化されたプログラムファイルのハッシュ値を求め、
Ｈ．前記暗号化されたプログラムファイルを前記解読された第２の暗号／暗号解読鍵を用いて解読し、
Ｉ．前記解読されたプログラムファイルをメモリにストアし、
Ｊ．前記プログラムファイルに関連したハッシュ値をメモリから読み出し、
Ｋ．前記求められたハッシュ値と前記読み出されたハッシュ値とを比較し、
Ｌ．該比較の結果、ハッシュ値が等しい場合には、前記解読されたプログラムファイルを実行し、
Ｍ．該比較の結果、ハッシュ値が等しくない場合には、エラーメッセージを発生する。
【請求項２】  請求項１の方法において、前記ＦからＩまでの処理は、一時に、前記暗号化されたプログラムファイルの一部についてなされ、前記暗号化されたプログラムファイルについての処理が終了するまで繰り返される。
【請求項３】  請求項１の方法において、更に、
再オーサリングモードまたはノーマルモードを示す前記デジタルデバイスのブートローダーモードフラグをストアし、該ブートローダーモードフラグは前記デジタルデバイスの最初の製造時の再オーサリングモードを示し、
前記デジタルデバイスのパワーアップ毎に、更に、
Ｎ．前記ブートローダーモードフラグで示される前記モードを決定し、
Ｏ．前記ブートローダーモードフラグが前記ノーマルモードを示す場合のみ前記ＩからＭまでの処理を行い、
Ｐ．前記ブートローダーモードフラグが前記再オーサリングモードを示す場合には、
Ｑ．前記解読されたプログラムファイルを前記第２の暗号／暗号解読鍵を用いて再び暗号化し、
Ｒ．該再暗号化されたプログラムファイルをメモリにストアし、
Ｓ．前記再暗号化されたプログラムファイルの第２ハッシュ値を求め、
Ｔ．メモリから、前記プログラムファイルに関連する第３ハッシュ値を読み出し、
Ｕ．前記第１ハッシュ値と前記第３ハッシュ値とを比較し、
Ｖ．該比較の結果、ハッシュ値が等しい場合には、前記第２ハッシュ値をストアし、
Ｗ．該比較の結果、ハッシュ値が等しくない場合には、エラーメッセージを発生し、
Ｘ．前記ブートローダーモードフラグをセットして前記通常モードを示す。
【請求項４】  請求項３の方法において、前記Ｆ及びＱからＵまでの処理は、一時に、前記暗号化されたプログラムファイルの一部についてなされ、前記暗号化されたプログラムファイルについての処理が終了するまで繰り返される。
【手続補正書】
【提出日】平成16年7月1日(2004.7.1)
【手続補正１】
【補正対象書類名】明細書
【補正対象項目名】特許請求の範囲
【補正方法】変更
【補正の内容】
【特許請求の範囲】
【請求項１】
情報処理装置に接続可能な情報提供装置であって、
数値を生成する数値生成手段と、
前記情報処理装置に設けられた複数のキーの種類と、該キーごとに割当てられた文字の数とを対応付けて記憶する記憶手段と、
前記数値から、前記文字の組合せで構成される文字列を生成する文字列生成手段とを有し、
前記文字列生成手段は、前記記憶手段に記憶されたキーの種類及びキーごとに割当てられた文字の数に基づいて、連続した２文字が、異なるキーに割当てられた文字となるよう文字列を生成することを特徴とする情報提供装置。
【請求項２】
前記生成手段は、前記文字列を構成する文字を、前記複数の文字から１つずつ選択する選択手段を含み、
該選択手段は、直前に選択された文字が割当てられているキーとは、異なるキーに割当てられた文字を選択することを特徴とする請求項１に記載の情報提供装置。
【請求項３】
前記選択手段は、
前記複数のキーに割当てられた全文字数Ｘから、直前に選択された文字が割当てられている直前キーに割当てられた文字数Ｙを引いたＸ−Ｙで、前記数値を除算する除算手段と、
前記複数のキーに割当てられた全文字から前記直前キーに割当てられた文字を除いた複数の文字のうち、前記除算によって算出された余りＺ番目の文字を導き出す導出手段と、を含むことを特徴とする請求項２に記載の情報提供装置。
【請求項４】
前記情報処理装置は電話機であることを特徴とする請求項１乃至３のいずれか１項に記載の情報提供装置。
【請求項５】
前記文字はアルファベット又は数字のうち少なくとも一方であることを特徴とする請求項１乃至４のいずれかに記載の情報提供装置。
【請求項６】
前記数値は、ユニークなＩＤであることを特徴とする請求項１乃至５のいずれかに記載の情報提供装置。
【請求項７】
更に、前記情報処理装置からの前記文字列の入力に応じて、前記情報処理装置に所定の情報を提供する情報提供手段を有することを特徴とする請求項１乃至６のいずれかに記載の情報提供装置。
【請求項８】
情報処理装置に設けられた複数のキーの種類と、該キー毎に割当てられた文字の数とを対応付けて記憶装置に記憶する工程と、
数値を生成する工程と、
前記数値から、前記文字の組合せで構成される文字列を生成する工程とを含み、
前記生成される文字列は、連続した２文字が異なるキーに割当てられた文字となることを特徴とする情報処理方法。
【請求項９】
情報提供装置のプロセッサに、
情報処理装置に設けられた複数のキーの種類と、該キー毎に割当てられた文字の数とを対応付けて記憶装置に記憶する工程と、
数値を生成する工程と、
前記数値から、連続した２文字が異なるキーに割当てられた文字となるよう文字列を生成する工程と、
を実行させることを特徴とする制御プログラム。
【請求項１０】
請求項９に記載の制御プログラムを情報提供装置が読み出し可能に格納することを特徴とする記憶媒体。
【手続補正２】
【補正対象書類名】明細書
【補正対象項目名】００１０
【補正方法】変更
【補正の内容】
【００１０】
【課題を解決するための手段】
上記目的を達成するため、本発明に係る装置は、
情報処理装置に接続可能な情報提供装置であって、
数値を生成する数値生成手段と、
前記情報処理装置に設けられた複数のキーの種類と、該キーごとに割当てられた文字の数とを対応付けて記憶する記憶手段と、
前記数値から、前記文字の組合せで構成される文字列を生成する文字列生成手段とを有し、
前記文字列生成手段は、前記記憶手段に記憶されたキーの種類及びキーごとに割当てられた文字の数に基づいて、連続した２文字が、異なるキーに割当てられた文字となるよう文字列を生成することを特徴とする。
【手続補正３】
【補正対象書類名】明細書
【補正対象項目名】００１３
【補正方法】変更
【補正の内容】
【００１３】
前記情報処理装置は電話機であることを特徴とする。
【手続補正４】
【補正対象書類名】明細書
【補正対象項目名】００１４
【補正方法】変更
【補正の内容】
【００１４】
前記文字はアルファベット又は数字のうち少なくとも一方であることを特徴とする。
【手続補正５】
【補正対象書類名】明細書
【補正対象項目名】００１５
【補正方法】変更
【補正の内容】
【００１５】
前記数値はユニークなＩＤであることを特徴とする。
【手続補正６】
【補正対象書類名】明細書
【補正対象項目名】００１７
【補正方法】変更
【補正の内容】
【００１７】
上記目的を達成するため、本発明に係る方法は、
情報処理装置に設けられた複数のキーの種類と、該キー毎に割当てられた文字の数とを対応付けて記憶装置に記憶する工程と、
数値を生成する工程と、
前記数値から、前記文字の組合せで構成される文字列を生成する工程とを含み、
前記生成される文字列は、連続した２文字が異なるキーに割当てられた文字となることを特徴とする。
【手続補正７】
【補正対象書類名】明細書
【補正対象項目名】００１８
【補正方法】変更
【補正の内容】
【００１８】
上記目的を達成するため、本発明に係るプログラムは、
情報提供装置のプロセッサに、
情報処理装置に設けられた複数のキーの種類と、該キー毎に割当てられた文字の数とを対応付けて記憶装置に記憶する工程と、
数値を生成する工程と、
前記数値から、連続した２文字が異なるキーに割当てられた文字となるよう文字列を生成する工程と、
を実行させることを特徴とする。
【手続補正８】
【補正対象書類名】明細書
【補正対象項目名】０３４９
【補正方法】変更
【補正の内容】
【０３４９】
【発明の効果】
本発明によれば、情報処理装置のユーザによる文字列の入力操作を容易にすることができるという効果が得られる。
【手続補正書】
【提出日】平成16年12月16日(2004.12.16)
【手続補正１】
【補正対象書類名】明細書
【補正対象項目名】０１８３
【補正方法】変更
【補正の内容】
【０１８３】
このΣΔ変調アルゴリズムは、以下の数式（１１）〜（１４）で表される。
σdｒ(ｋ)＝ｒ(ｋ)＋σdｒ(ｋ−１)                        ……（１１）
σdｕ(ｋ)＝σdｕ(ｋ−１)＋ｕ(ｋ−１)                    ……（１２）
δ'(ｋ) ＝σdｒ(ｋ)−σdｕ(ｋ)                         ……（１３）
ｕ(ｋ)＝ｓｇｎ（δ'(ｋ)）                            ……（１４）
ただし、符号関数ｓｇｎ（δ'(ｋ)）の値は、δ'(ｋ)≧０のときにはｓｇｎ（δ'(ｋ)）＝１となり、δ'(ｋ)＜０のときにはｓｇｎ（δ'(ｋ)）＝−１となる（なお、δ'(ｋ)＝０のときに、ｓｇｎ（δ'(ｋ)）＝０と設定してもよい）。
【手続補正２】
【補正対象書類名】明細書
【補正対象項目名】０１８８
【補正方法】変更
【補正の内容】
【０１８８】
以上のΔ変調アルゴリズムは、以下の数式（１５）〜（１７）で表される。
σdｕ(ｋ)＝σdｕ(ｋ−１)＋ｕ(ｋ−１)                     ……（１５）
δ''(ｋ)＝ｒ(ｋ)−σdｕ(ｋ)                             ……（１６）
ｕ(ｋ)＝ｓｇｎ（δ''(ｋ)）                            ……（１７）
ただし、符号関数ｓｇｎ（δ''(ｋ)）の値は、δ''(ｋ)≧０のときにはｓｇｎ（δ''(ｋ)）＝１となり、δ''(ｋ)＜０のときにはｓｇｎ（δ''(ｋ)）＝−１となる（なお、δ''(ｋ)＝０のときに、ｓｇｎ（δ''(ｋ)）＝０と設定してもよい）。
【手続補正書】
【提出日】平成16年6月23日(2004.6.23)
【手続補正１】
【補正対象書類名】明細書
【補正対象項目名】特許請求の範囲
【補正方法】変更
【補正の内容】
【特許請求の範囲】
【請求項１】
シャーシ内に引き回されたケーブルを管理し遮蔽し、前記シャーシから出る電磁波を軽減するためのアセンブリであって、
上面と下面とを有し、導電性材料からなるベース・プレートと、
上面と下面とを有し、前記ベース・プレートから離間されかつ前記ベース・プレートと実質的平行に位置合わせされたカバー・プレートと、
前記ベース・プレートと前記カバー・プレートを相互接続するために、前記ケーブルを引き回しかつ前記ケーブルを前記ベース・プレートの近くに配置し、その上面に沿って移動するための経路を画定する手段であって、前記ベース・プレートと前記カバー・プレートを相互接続するために、前記カバー・プレートと前記ベース・プレート間にケーブルが自由に移動する間隙を提供するためのスタンドオフ距離をさらに画定する手段と、を含むアセンブリ。
【請求項２】
シャーシ内に引き回されたケーブルを管理し遮蔽し、前記シャーシから出る電磁波を軽減するためのアセンブリであって、
上面と下面とを有し、導電性材料からなるベース・プレートと、
上面と下面とを有し、前記ベース・プレートから離間されかつ前記ベース・プレートと実質的平行に位置合わせされたカバー・プレートと、
前記ベース・プレートの前記上面から延びる少なくとも１つのスペーサと、前記ケーブルを引き回しかつ前記ケーブルを前記ベース・プレートの近くに配置し、その上面に沿って移動するための経路を画定するために前記ベース・プレートと前記カバー・プレートが相互接続されたときに前記カバー・プレートの前記少なくとも１つのスペーサと同じ位置で前記カバー・プレートを貫通する少なくとも１つの穴とを含み、前記少なくとも１つのスペーサは、前記カバー・プレートと前記ベース・プレート間にケーブルが自由に移動する間隙を提供するのに十分なスタンドオフ距離を画定することを含むアセンブリ。
【請求項３】
保護シールドシステムを組み立てる方法であって、
上面と下面とを有し、電気的にアースされた金属ベース・プレートを形成するステップと、
上面と下面とを有するカバー・プレートを形成するステップと、
前記ケーブルが前記ベース・プレートの近くに配置されるように前記ベース・プレートの前記上面に１つまたは複数のケーブルを位置決めするステップと、
前記カバー・プレートと前記ベース・プレート間にケーブルが自由に移動する間隙を提供するために前記ベース・プレートと前記カバー・プレートの一方に少なくとも１つのスペーサを形成することによって、前記ベース・プレートと前記カバー・プレート間にスタンドオフ距離を提供するステップと、
前記ケーブルが前記ベース・プレートの近くに配置され、その上面に沿って移動するように前記ベース・プレートと前記ケーブルの上に前記カバー・プレートを配置するステップと、
容量結合によってシャーシ内にある前記電磁波を軽減するステップと、を含む方法。
【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
少なくとも２つの画像ピクセルのセットから構成されるカラー画像の色を補正する画像処理方法であって、前記セットはそれぞれ別個の色値を有し、前記ピクセルは前記カラー画像におけるそのピクセルの色値の強度を表す輝度値を有しており、
前記方法は、
ｉ）各色値について、平滑化された画像ピクセルのセットからなる低空間周波数モノクロ画像をその色値のピクセルから生成するステップと、
ｉｉ）少なくとも１つの色値について、前記平滑化画像ピクセルのサブセットを選択するステップと、
ｉｉｉ）前記平滑化画像ピクセルのサブセットに色補正関数を適用して、１つまたは複数の対応する補正された平滑化画像ピクセルのサブセットを生成するステップであって、前記関数は、各色値について、平滑化画像ピクセルの１つまたは複数の他のセットにおける対応する平滑化画像ピクセルからの寄与を含む、ステップと、
ｉｖ）前記補正された平滑化画像ピクセルから内挿および／または外挿を行うことによって、１つまたは複数の補正された平滑化画像ピクセルのセットを完成させて、元の平滑化画像ピクセルのサブセットにはない補正された平滑化画像ピクセルを同様に生成するステップと、
ｖ）前記補正された平滑化画像ピクセルのセットを使用して補正されたカラー画像を生成するステップと、
を含む画像処理方法。
【請求項２】
前記ステップｖ）は、前記元の画像ピクセルから高空間周波数輝度画像を生成するステップと、前記高空間周波数輝度画像を前記補正されたまたは未補正の平滑化画像ピクセルのセットと合成して、前記補正されたフルカラー画像を形成するステップを含む、請求項１に記載の画像処理方法。
【請求項３】
前記カラー画像は画像モザイクであり、各色値についての前記画像モザイクのピクセル位置にのみ広がる高空間周波数輝度画像が各色値について生成され、前記高空間周波数輝度画像は、前記対応する補正された平滑化画像ピクセルのセットと、またはこのような補正されたセットがない場合には前記対応する平滑化画像ピクセルのセットと合成される、請求項２に記載の方法。
【請求項４】
複数の画像ピクセルから構成されるカラー画像の色を補正する画像処理方法であって、各画像ピクセルは少なくとも２つの色値のうちの一方と、前記画像におけるそのピクセルの前記色値の強度を表す輝度値とを有しており、
前記方法は、
Ｉ）各色値について、平滑化された画像ピクセルからなる低空間周波数モノクロ画像をその色値のピクセルから生成するステップと、
ＩＩ）１つまたは複数の色値について色補正関数を前記平滑化画像ピクセルに適用して、１つまたは複数の対応する補正された平滑化画像を生成するステップであって、前記関数は、各色値について、１つまたは複数のその他の色値を有する対応する平滑化画像ピクセルからの寄与を含む、ステップと、
ＩＩＩ）前記画像から１つまたは複数の高空間周波数輝度画像を生成するステップと、
ＩＶ）前記高空間周波数輝度画像を前記補正された低空間周波数モノクロ画像と合成してフルカラー画像を形成するステップと、
を含む画像処理方法。
【請求項５】
Ｖ）前記ステップＩＩ）において、前記色補正は低空間周波数画像ピクセルのサブセットにのみ適用され、
ＶＩ）前記ステップＩＶ）の前に、前記補正された平滑化画像ピクセルのサブセットから内挿および／または外挿を行うことによって前記補正された低空間周波数モノクロ画像が完成されて、前記元の補正された平滑化画像ピクセルのサブセットにはない補正された平滑化画像ピクセルを同様に生成する、請求項４に記載の画像処理方法。
【請求項６】
前記カラー画像は画像モザイクであり、各色値のピクセルは異なる色値のピクセルを持つ前記画像モザイクの端から端まで行及び列でインタリーブされて、少なくともいくつかの行および／または列が少なくとも２色の画像ピクセルを含むように前記画像モザイクを形成する、請求項１から５のいずれかに記載の画像処理方法。
【請求項７】
１つの色値のピクセルはその他の色値のピクセルと比較して多数であり、各行および各列は前記多数の色とその他の色のうち１つの色の両方の画像ピクセルを含む、請求項６に記載の画像処理方法。
【請求項８】
前記平滑化画像ピクセルは１つおきの行および１つおきの列の両方にある画像ピクセルからなる、請求項７に記載の画像処理方法。
【請求項９】
前記低周波数モノクロ画像は、前記元のカラー画像のすべてのピクセル位置に広がる、請求項１から８のいずれかに記載の画像処理方法。
【請求項１０】
前記色値は赤、緑及び青を含み、前記画像モザイクでは緑ピクセルが多数である、請求項１から９のいずれかに記載の画像処理方法。
【請求項１１】
プロセッサ、ソフトウェアおよびメモリを備えるカラー画像の補正を行う画像処理装置であって、前記メモリは少なくとも２つの画像ピクセルのセットを有するカラー画像を表す画像データを格納し、前記セットはそれぞれ別個の色値を有し、前記ピクセルは前記カラー画像におけるそのピクセルの色値の強度を表す輝度値を有しており、
前記プロセッサ、ソフトウェア及びメモリは、
ａ）各色値について、平滑化された画像ピクセルのセットからなる低空間周波数モノクロ画像をその色値のピクセルから生成し、
ｂ）少なくとも１つの色値について、前記平滑化画像ピクセルのサブセットを選択し、
ｃ）前記平滑化画像ピクセルのサブセットに色補正関数を適用して、１つまたは複数の対応する補正された平滑化画像ピクセルのサブセットを生成し、前記関数は、各色値について、平滑化画像ピクセルの１つまたは複数の他のセットにおける対応する平滑化画像ピクセルからの寄与を含み、
ｄ）前記補正された平滑化画像ピクセルから内挿および／または外挿を行うことによって、１つまたは複数の補正された平滑化画像ピクセルのセットを完成させて、元の平滑化画像ピクセルのサブセットにはない補正された平滑化画像ピクセルを同様に生成し、
ｅ）前記補正された平滑化画像ピクセルのセットを使用して補正されたカラー画像を生成するように動作する、画像処理装置。
【請求項１２】
プロセッサ、ソフトウェアおよびメモリを備えるカラー画像の補正を行う画像処理装置であって、前記メモリは複数の画像ピクセルを表す画像データを格納し、前記画像ピクセルは少なくとも２つの色値のうちの一方と、前記画像におけるそのピクセルの色値の強度を表す輝度値とを有しており、
前記プロセッサ、ソフトウェア及びメモリは、
Ａ）各色値について、平滑化された画像ピクセルのセットからなる低空間周波数モノクロ画像をその色値のピクセルから生成し、
Ｂ）１つまたは複数の色値について色補正関数を前記平滑化画像ピクセルに適用して、１つまたは複数の対応する補正された平滑化画像を生成し、前記関数は、各色値について、１つまたは複数のその他の色値を有する対応する平滑化画像ピクセルからの寄与を含み、
Ｃ）前記画像から１つまたは複数の高空間周波数輝度画像を生成し、
Ｄ）前記高空間周波数輝度画像を前記補正された低空間周波数モノクロ画像と合成してフルカラー画像を形成するように動作する、画像処理装置。
【手続補正書】
【提出日】平成17年4月14日(2005.4.14)
【手続補正１】
【補正対象書類名】明細書
【補正対象項目名】発明の名称
【補正方法】変更
【補正の内容】
【発明の名称】ブランドパーソナリテイ診断処理方法及びそのシステム
【手続補正２】
【補正対象書類名】明細書
【補正対象項目名】特許請求の範囲
【補正方法】変更
【補正の内容】
【特許請求の範囲】
【請求項１】
被験者のブランドに対する人格特徴の調査結果から、ブランドの人格特徴をコンピュータにより診断するブランドパーソナリテイ診断処理方法であって、
前記ブランドパーソナリテイの因子を構成し、且つ前記ブランドパーソナリテイの因子として、互いに相反する強ポジテイブの人格特徴と、弱ネガテイブの人格特徴と、互いに相反する弱ポジテイブの人格特徴及び強ネガテイブの人格特徴とに対する各被験者が回答した有無の調査結果を、前記コンピュータのデータ処理ユニットが収集し、データ収集ファイルを作成するステップと、
前記データ処理ユニットが、前記データ収集ファイルを読み出し、前記収集された４つの人格特徴の回答結果を、各々１つの人格特徴で構成される４つの類型パターンと、各々２つの人格特徴で構成され且つ互いにポジテイブ同士かネガテイブ同士のいずれであるか又は互いに強同士であるか弱同士である４つの類型パターンと、いずれの人格特徴で構成されない１つの類型パターンとの９つの類型パターンの一つに分類処理し、且つ各類型パターンの回答数を算出処理して、集計ファイルに格納するステップと、
前記データ処理ユニットが、前記集計ファイルから前記各類型パターンの回答数を読み出し、前記各類型パターンの回答数から、前記各類型パターンの構成比を計算処理し、構成結果ファイルに格納するステップと、
前記データ処理ユニットが、前記構成結果ファイルから前記各類型パターンの構成比を読み出し、前記ブランドパーソナリテイの現状を、前記各類型パターンの構成比で出力装置に出力するステップとを有することを
特徴とするブランドパーソナリテイ診断処理方法。
【請求項２】
複数のパーソナリテイ因子の人格特徴の目標を前記データ処理ユニットに入力するステップを更に有し、
前記データ処理ユニットによる前記出力ステップは、
前記各パーソナリテイ因子において、前記目標人格特徴の類型パターンを抽出し、前記類型パターンの構成比と前記目標との乖離を計算処理し、前記複数のパーソナリテイ因子から戦略パーソナリテイ因子を選択処理するステップと、
前記選択された戦略パーソナリテイ因子において、前記計算された各類型パターンの構成比から対象とする類型パターンを抽出し、前記抽出された類型パターンと前記入力された人格特徴との関係から、前記目標に到る強調すべき人格特徴を決定処理するステップを更に有することを
特徴とする請求項１のブランドパーソナリテイ診断処理方法。
【請求項３】
前記データ処理ユニットによる出力ステップは、
前記類型パターンを、前記類型パターンを構成する人格特徴の強弱の価値と、ポジテイブ・ネガテイブの価値とを、直交する２つの軸に取った２次元座標に、前記類型パターンの両価値に応じて配置し、且つ配置した類型パターンの構成比を図形として表示するためのテーブルを作成するステップと、
前記テーブルに従い、前記２次元座標に前記類型パターンを構成比に応じて図形表示する診断マップを前記出力装置に出力するステップと、
前記類型パターンの前記人格特徴の組み合わせから得た前記類型パターンの安定度を前記診断マップに、前記各類型パターンの図形表示に付して前記出力装置に出力するステップとを有することを
特徴とする請求項１のブランドパーソナリテイ診断処理方法。
【請求項４】
前記データ処理ユニットによる前記出力ステップは、
前記各類型パターンの構成比から前記パーソナリテイ因子の特性値を計算処理するステップと、
前記特性値を前記出力装置に出力するステップとを更に有することを
特徴とする請求項１のブランドパーソナリテイ診断処理方法。
【請求項５】
被験者のブランドに対する人格特徴の調査結果から、ブランドの人格特徴を診断処理するブランドパーソナリテイ診断処理システムであって、
前記ブランドパーソナリテイの因子を構成し、前記ブランドパーソナリテイの因子として、互いに相反する強ポジテイブの人格特徴と、弱ネガテイブの人格特徴と、互いに相反する弱ポジテイブの人格特徴及び強ネガテイブの人格特徴とに対する各被験者が回答した有無の調査結果をデータ処理ユニットに入力する入力ユニットと、
前記入力された４つの人格特徴の回答結果から診断処理するデータ処理ユニットと、
前記データ処理ユニットにより、前記入力された４つの人格特徴の回答結果を、各々１つの人格特徴で構成される４つの類型パターンと、各々２つの人格特徴で構成され且つ互いにポジテイブ同士かネガテイブ同士のいずれであるか又は互いに強同士であるか弱同士である４つの類型パターンと、いずれの人格特徴で構成されない１つの類型パターン９つの類型パターンの一つに分類処理し、且つ各類型パターンの回答数を算出した結果を格納する集計ファイルと、
前記データ処理ユニットが、前記集計ファイルから読み出した前記各類型パターンの回答数から、前記各類型パターンの構成比を計算した結果を格納する構成結果ファイルと、
前記データ処理ユニットが、前記構成結果ファイルから読み出した各類型パターンの構成比を読み出し、前記類型パターンを、前記類型パターンを構成する人格特徴の強弱の価値と、ポジテイブ・ネガテイブの価値とを、直交する２つの軸に取った２次元座標に、前記類型パターンの両価値に応じて配置し、且つ配置した類型パターンの構成比を図形として表示するためのテーブルを作成し、診断結果を格納する診断結果ファイルと、
前記診断結果ファイルの前記テーブルに従い、前記２次元座標に前記類型パターンを構成比に応じて図形表示する診断マップを出力する出力装置とを有することを
特徴とするブランドパーソナリテイ診断処理システム。
【手続補正書】
【提出日】平成16年7月20日(2004.7.20)
【手続補正１】
【補正対象書類名】明細書
【補正対象項目名】発明の名称
【補正方法】変更
【補正の内容】
【発明の名称】情報提供サーバ及びその制御方法
【手続補正２】
【補正対象書類名】明細書
【補正対象項目名】特許請求の範囲
【補正方法】変更
【補正の内容】
【特許請求の範囲】
【請求項１】
ネットワークを介して受信する情報参照要求に応答して所定の情報を送信する情報提供サーバであって、
前記情報参照要求に含まれる、当該情報参照要求が要求する情報を特定する第１のアドレス情報を取得する取得手段と、
前記第１のアドレス情報に応じた処理を行う処理手段と、
前記情報参照要求を受けた時刻を暗号化した情報を含む第２のアドレス情報を生成し、前記情報参照要求の送信元に返送する送信手段とを有し、
前記処理手段が、
前記第１のアドレス情報が、前記情報提供サーバが前記情報参照要求の送信元へ返送した第２のアドレス情報である場合、さらにこの第２のアドレス情報の有効性を判定し、前記判定結果に応じてその第２のアドレス情報によって特定される情報を前記情報参照要求の送信元へ返送することを特徴とする情報提供サーバ。
【請求項２】
前記処理手段が、
前記第２のアドレス情報が過去の所定時間内に前記情報提供サーバから返送されたものである場合、前記第２のアドレス情報を有効と判定することを特徴とする請求項１記載の情報提供サーバ。
【請求項３】
前記処理手段が、
前記第１のアドレス情報が予め定めたエントリアドレスである場合、前記第２のアドレス情報を前記情報参照要求の送信元へ返送することを特徴とする請求項１又は請求項２記載の情報提供サーバ。
【請求項４】
前記処理手段が、
前記第１のアドレス情報が予め定めたエントリアドレスでも、有効な前記第２のアドレス情報でもない場合、予め定めた情報を前記情報参照要求の送信元へ返送することを特徴とする請求項３記載の情報提供サーバ。
【請求項５】
ネットワークを介して受信する情報参照要求に応答して所定の情報を送信する情報提供サーバの制御方法であって、
前記情報参照要求に含まれる、当該情報参照要求が要求する情報を特定する第１のアドレス情報を取得する取得ステップと、
前記第１のアドレス情報に応じた処理を行う処理ステップと、
前記情報参照要求を受けた時刻を暗号化した情報を含む第２のアドレス情報を生成し、前記情報参照要求の送信元に返送する送信ステップとを有し、
前記処理ステップが、
前記第１のアドレス情報が、前記情報提供サーバが前記情報参照要求の送信元へ返送した第２のアドレス情報である場合、さらにこの第２のアドレス情報の有効性を判定し、前記判定結果に応じてその第２のアドレス情報によって特定される情報を前記情報参照要求の送信元へ返送すること特徴とする情報提供サーバの制御方法。
【請求項６】
前記処理ステップが、
前記第２のアドレス情報が過去の所定時間内に前記情報提供サーバから返送されたものである場合、前記第２のアドレス情報を有効と判定することを特徴とする請求項５記載の情報提供サーバの制御方法。
【請求項７】
前記処理ステップが、
前記第１のアドレス情報が予め定めたエントリアドレスである場合、前記第２のアドレス情報を前記情報参照要求の送信元へ返送することを特徴とする請求項５又は請求項６記載の情報提供サーバの制御方法。
【請求項８】
前記処理ステップが、
前記第１のアドレス情報が予め定めたエントリアドレスでも、有効な前記第２のアドレス情報でもない場合、予め定めた情報を前記情報参照要求の送信元へ返送することを特徴とする請求項７記載の情報提供サーバの制御方法。
【請求項９】
コンピュータ装置を請求項１乃至請求項４のいずれか１項に記載の情報提供サーバとして機能させることを特徴とするコンピュータプログラム。
【請求項１０】
請求項９に記載のコンピュータプログラムを格納したことを特徴とするコンピュータ装置読み取り可能な記憶媒体。
【手続補正３】
【補正対象書類名】明細書
【補正対象項目名】０００１
【補正方法】変更
【補正の内容】
【０００１】
【発明の属する技術分野】
本発明は、ユーザが指定した情報の参照サービスを提供する情報提供サーバ及びその制御方法に関し、特に特定の手順でのみ情報の参照を有効とする情報提供サーバ及びその制御方法に関する。
【手続補正４】
【補正対象書類名】明細書
【補正対象項目名】０００７
【補正方法】変更
【補正の内容】
【０００７】
本発明はこのような従来技術の問題点に鑑みなされたものであり、その目的は、簡便な処理によって、本来所定の手順を実行後にのみ可能となるべき情報への直接参照を防止することが可能なサーバ装置及びその制御方法及びそのコンピュータプログラム及びそれを記憶した記憶媒体を提供することにある。
【手続補正５】
【補正対象書類名】明細書
【補正対象項目名】０００８
【補正方法】変更
【補正の内容】
【０００８】
【課題を解決するための手段】
すなわち、本発明の要旨は、ネットワークを介して受信する情報参照要求に応答して所定の情報を送信する情報提供サーバであって、情報参照要求に含まれる、当情報参照要求が要求する情報を特定する第１のアドレス情報を取得する取得手段と、第１のアドレス情報に応じた処理を行う処理手段と、情報参照要求を受けた時刻を暗号化した情報を含む第２のアドレス情報を生成し、情報参照要求の送信元に返送する送信手段とを有し、処理手段が、第１のアドレス情報が、情報提供サーバが情報参照要求の送信元へ返送した第２のアドレス情報である場合、さらにこの第２のアドレス情報の有効性を判定し、判定結果に応じてその第２のアドレス情報によって特定される情報を情報参照要求の送信元へ返送することを特徴とする情報提供サーバに存する。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
また、本発明の別の要旨は、ネットワークを介して受信する情報参照要求に応答して所定の情報を送信する情報提供サーバの制御方法であって、情報参照要求に含まれる、当情報参照要求が要求する情報を特定する第１のアドレス情報を取得する取得ステップと、第１のアドレス情報に応じた処理を行う処理ステップと、
また、本発明の別の要旨は、情報参照要求を受けた時刻を暗号化した情報を含む第２のアドレス情報を生成し、情報参照要求の送信元に返送する送信ステップとを有し、処理ステップが、第１のアドレス情報が、情報提供サーバが情報参照要求の送信元へ返送した第２のアドレス情報である場合、さらにこの第２のアドレス情報の有効性を判定し、判定結果に応じてその第２のアドレス情報によって特定される情報を前記情報参照要求の送信元へ返送すること特徴とする情報提供サーバの制御方法に存する。
【手続補正９】
【補正対象書類名】明細書
【補正対象項目名】００１２
【補正方法】削除
【補正の内容】
【手続補正１０】
【補正対象書類名】明細書
【補正対象項目名】００１４
【補正方法】削除
【補正の内容】
【手続補正書】
【提出日】平成16年7月1日(2004.7.1)
【手続補正１】
【補正対象書類名】明細書
【補正対象項目名】発明の名称
【補正方法】変更
【補正の内容】
【発明の名称】サーバ装置及びその制御方法
【手続補正２】
【補正対象書類名】明細書
【補正対象項目名】特許請求の範囲
【補正方法】変更
【補正の内容】
【特許請求の範囲】
【請求項１】
ネットワークを介して転送されたデータファイルを保存し、前記データファイルへの前記ネットワークを介したアクセスサービスを提供するサーバ装置であって、
前記データファイルを内部管理情報とともに管理するデータ管理手段と、
前記データファイルにアクセスする際に必要なアクセスコードを、前記データ管理手段により管理された内部管理情報を暗号化して生成するアクセスコード生成手段とを有することを特徴とするサーバ装置。
【請求項２】
前記データ管理手段は前記データファイルを特定するために前記内部管理情報を用いることを特徴とする請求項１記載のサーバ装置。
【請求項３】
前記暗号化が、前記内部管理情報に対して、当該内部管理情報から求めたチェック用符号を付加する符号付加処理を含むことを特徴とする請求項１又は請求項２記載のサーバ装置。
【請求項４】
前記暗号化が、前記チェック用符号が付加された前記管理内部情報を異なる文字列に変換する変換処理を更に含むことを特徴とする請求項３記載のサーバ装置。
【請求項５】
前記変換処理が、変換後の文字列を１つのキーを用いて複数の文字を入力可能な機器から入力する際、続けて同じキーを用いずに入力可能となるような文字列に変換することを特徴とする請求項４記載のサーバ装置。
【請求項６】
前記アクセスコードが正当なアクセスコードであるか否かを判定する判定手段をさらに有することを特徴とする請求項１乃至請求項５のいずれか１項に記載のサーバ装置。
【請求項７】
前記判定手段が、前記暗号化と逆の処理を前記アクセスコードに施して前記判定を行うことを特徴とする請求項６記載のサーバ装置。
【請求項８】
ネットワークを介して転送されたデータファイルを保存し、前記データファイルへの前記ネットワークを介したアクセスサービスを提供するサーバ装置の制御方法であって、
前記データファイルを内部管理情報とともに管理するデータ管理ステップと、前記データファイルにアクセスする際に必要なアクセスコードを、前記データ管理ステップにおいて管理された内部管理情報を暗号化して生成するアクセスコード生成ステップとを有することを特徴とするサーバ装置の制御方法。
【請求項９】
前記データ管理ステップでは前記データファイルを特定するために前記内部管理情報が用いられることを特徴とする請求項８記載のサーバ装置の制御方法。
【請求項１０】
前記暗号化が、前記内部管理情報に対して、当該内部管理情報から求めたチェック用符号を付加する符号付加処理を含むことを特徴とする請求項８又は請求項９記載のサーバ装置の制御方法。
【請求項１１】
前記暗号化が、前記チェック用符号が付加された前記管理内部情報を異なる文字列に変換する変換処理を更に含むことを特徴とする請求項１０記載のサーバ装置の制御方法。
【請求項１２】
前記変換処理が、変換後の文字列を１つのキーを用いて複数の文字を入力可能な機器から入力する際、続けて同じキーを用いずに入力可能となるような文字列に変換することを特徴とする請求項１１記載のサーバ装置の制御方法。
【請求項１３】
前記アクセスコードが正当なアクセスコードであるか否かを判定する判定ステップをさらに有することを特徴とする請求項８乃至請求項１２のいずれか１項に記載のサーバ装置の制御方法。
【請求項１４】
前記判定ステップが、前記暗号化と逆の処理を前記アクセスコードに施して前記判定を行うことを特徴とする請求項１３記載のサーバ装置の制御方法。
【請求項１５】
コンピュータ装置を請求項１乃至請求項７のいずれか１項に記載のサーバ装置として機能させることを特徴とするコンピュータプログラム。
【請求項１６】
請求項１５記載のコンピュータプログラムを格納したコンピュータ装置読み取り可能な記憶媒体。
【手続補正３】
【補正対象書類名】明細書
【補正対象項目名】０００２
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】０１６２
【補正方法】変更
【補正の内容】
【０１６２】
【発明の効果】
以上説明したように、本発明によれば、第３者に通知するアクセスコードを、データファイルの内部管理情報を暗号化して生成するので、不正ユーザはアクセスコードを類推するのが困難になり、データファイルへの不正なアクセスを防ぐことができるという効果が得られる。
【手続補正書】
【提出日】平成17年6月10日(2005.6.10)
【手続補正１】
【補正対象書類名】明細書
【補正対象項目名】特許請求の範囲
【補正方法】変更
【補正の内容】
【特許請求の範囲】
【請求項１】
ディスクに対し照射したレーザ光の反射光を受光領域で受光するフォトディテクタと、
前記受光領域で検出する光量の変化をプッシュプル信号として求めるプッシュプル信号演算手段と、
前記レーザ光の反射光を前記受光領域へ投影する対物レンズを前記ディスクの半径方向へ追従させるトラッキング駆動機構をオン／オフするトラッキング駆動制御手段と、
前記トラッキング駆動機構をオフにした状態で、前記プッシュプル信号のレベルが所定の閾値を越えたか否かによりアンバランスディスクの判別を行うアンバランスディスク判別手段と、
を備えたことを特徴とするアンバランスディスク検出装置。
【請求項２】
前記アンバランスディスクの判別を、前記測定回転数に応じて変化させた閾値を基準に行うことを特徴とする請求項１に記載のアンバランスディスク検出装置。
【請求項３】
モータによりディスクを駆動し、該ディスクに対しレーザ光を照射し、前記ディスクから反射されたレーザ光を受光領域を持つフォトディスクで受光し、前記レーザ光の反射光を前記受光領域へ投影する対物レンズを前記ディスクの半径方向へ追従させるトラッキング駆動機構をオフにした状態で、前記受光領域で検出する光量の変化をプッシュプル信号として求め、前記プッシュプル信号のレベルが所定の測定回転数について設定した閾値を越えたか否かにより、アンバランスディスクの判定を行うことを特徴とするアンバランスディスク検出方法。
【請求項４】
前記プッシュプル信号のレベルが所定の測定回転数について設定した閾値を越えない場合は、測定回転数を変更し、測定回転数に応じた閾値を基準に前記アンバランスディスクの判定を行うことを特徴とする請求項３に記載のアンバランスディスク検出方法。
【手続補正２】
【補正対象書類名】明細書
【補正対象項目名】０００２
【補正方法】変更
【補正の内容】
【０００２】
【従来の技術】
ＣＤ−ＲＯＭドライブ装置やＤＶＤ−ＲＯＭドライブ装置などの光学式ディスクドライブ装置では、ディスク上のピット情報を正確に読み取るのに、読み取り用のレーザ光のスポットがピット列のトラック上を正確にトレースするように、そのスポットをディスクの半径方向に制御するトラッキングサーボシステムが必要となる。このトラッキングサーボシステムでは、ディスクからの反射光にもとづいて前記スポットのトラッキング時におけるディスクの半径方向のずれをトラッキングエラ−信号として検出し、このトラッキングエラー信号レベルに対応するドライブ電圧でトラッキング用のアクチュエータを駆動し、スポットの位置が常にトラックの中央にくるように連続的に補正している。
【手続補正３】
【補正対象書類名】明細書
【補正対象項目名】００１１
【補正方法】変更
【補正の内容】
【００１１】
【課題を解決するための手段】
前記目的達成のために、請求項１に記載の発明は、ディスクに対し照射したレーザ光の反射光を受光領域で受光するフォトディテクタと、前記受光領域で検出する光量の変化をプッシュプル信号として求めるプッシュプル信号演算手段と、前記レーザ光の反射光を前記受光領域へ投影する対物レンズを前記ディスクの半径方向へ追従させるトラッキング駆動機構をオン／オフするトラッキング駆動制御手段と、前記トラッキング駆動機構をオフにした状態で、前記プッシュプル信号のレベルが所定の閾値を越えたか否かによりアンバランスディスクの判別を行うアンバランスディスク判別手段とを備えたことを特徴とする。